(57)【要約】【課題】本発明は、画像処理方法、画像処理方法のプログラム、画像処理方法のプログラムを記録した記録媒体及び画像処理装置に関し、例えば写真を印刷する端末装置に適用して、配付する数を簡易に把握して静止画像を処理することができるようにする。【解決手段】本発明は、複数の静止画像で検出した被写体の中から関連の深い被写体を検出し、この被写体が少なくとも１つは撮影されている静止画像を選択して静止画像を選択出力する。【選択図】        図１
2008052560.tif 000002
【特許請求の範囲】
【請求項１】
複数の静止画像を処理する画像処理方法において、
前記静止画像毎に、撮影された被写体を検出する被写体検出ステップと、
前記被写体検出ステップで検出した被写体を前記複数の静止画像で整理して、前記複数の静止画像で撮影された被写体を検出する被写体整理ステップと、
前記被写体整理ステップで検出した複数の被写体の中から、関連の深い被写体を検出する関連付けステップと、
前記複数の静止画像から前記関連付けステップで検出した被写体が少なくとも１つは撮影されている静止画像を選択する静止画像選択ステップと、
前記静止画像選択ステップで選択した静止画像を出力する静止画像出力ステップとを有する
ことを特徴とする画像処理方法。
【請求項２】
前記関連付けステップは、
前記被写体整理のステップで検出した被写体を一覧表示する一覧表示ステップと、
前記一覧表示ステップの一覧表示から複数の被写体の選択を受け付け、該複数の被写体を前記関連の深い被写体に設定する被写体選択のステップとを有する
ことを特徴とする請求項１に記載の画像処理方法。
【請求項３】
前記被写体が人物であり、
前記静止画像出力ステップによる前記静止画像の出力が、用紙への前記静止画像の印刷である
ことを特徴とする請求項１に記載の画像処理方法。
【請求項４】
前記用紙への前記静止画像の印刷が、前記静止画像毎の印刷である
ことを特徴とする請求項３に記載の画像処理方法。
【請求項５】
前記用紙への前記静止画像の印刷が、前記静止画像のサムネイル画像による一覧表示の印刷である
ことを特徴とする請求項３に記載の画像処理方法。
【請求項６】
前記静止画像出力ステップによる前記静止画像の出力が、対応する静止画ファイルの通信手段への出力である
ことを特徴とする請求項１に記載の画像処理方法。
【請求項７】
前記静止画像出力ステップによる前記静止画像の出力が、対応する静止画ファイルの記録媒体への記録である
ことを特徴とする請求項１に記載の画像処理方法。
【請求項８】
前記被写体整理ステップで検出した被写体毎に、前記複数の静止画像から該被写体が写った静止画像を選択して出力する被写体毎の出力ステップを有する
ことを特徴とする請求項１に記載の画像処理方法。
【請求項９】
複数の静止画像を処理する画像処理方法のプログラムにおいて、
前記静止画像毎に、撮影された被写体を検出する被写体検出ステップと、
前記被写体検出ステップで検出した被写体を前記複数の静止画像で整理して、前記複数の静止画像で撮影された被写体を検出する被写体整理ステップと、
前記被写体整理ステップで検出した複数の被写体の中から、関連の深い被写体を検出する関連付けステップと、
前記複数の静止画像から前記関連付けステップで検出した被写体が少なくとも１つは撮影されている静止画像を選択する静止画像選択ステップと、
前記静止画像選択ステップで選択した静止画像を出力する静止画像出力ステップとを有する
ことを特徴とする画像処理方法のプログラム。
【請求項１０】
複数の静止画像を処理する画像処理方法のプログラムを記録した記録媒体において、
前記画像処理方法は、
前記静止画像毎に、撮影された被写体を検出する被写体検出ステップと、
前記被写体検出ステップで検出した被写体を前記複数の静止画像で整理して、前記複数の静止画像で撮影された被写体を検出する被写体整理ステップと、
前記被写体整理ステップで検出した複数の被写体の中から、関連の深い被写体を検出する関連付けステップと、
前記複数の静止画像から前記関連付けステップで検出した被写体が少なくとも１つは撮影されている静止画像を選択する静止画像選択ステップと、
前記静止画像選択ステップで選択した静止画像を出力する静止画像出力ステップとを有する
ことを特徴とする画像処理方法のプログラムを記録した記録媒体。
【請求項１１】
複数の静止画像を処理する画像処理装置において、
前記静止画像毎に、撮影された被写体を検出する被写体検出部と、
前記被写体検出部で検出した被写体を前記複数の静止画像で整理して、前記複数の静止画像で撮影された被写体を検出する被写体整理部と、
前記被写体整理部で検出した複数の被写体の中から、関連の深い被写体を検出する関連付け部と、
前記複数の静止画像から前記関連付け部で検出した被写体が少なくとも１つは撮影されている静止画像を選択する静止画像選択部と、
前記静止画像選択部で選択した静止画像を出力する静止画像出力部とを有する
ことを特徴とする画像処理装置。
【発明の詳細な説明】
【技術分野】
【０００１】
本発明は、画像処理方法、画像処理方法のプログラム、画像処理方法のプログラムを記録した記録媒体及び画像処理装置に関し、例えば写真を印刷する端末装置に適用することができる。本発明は、複数の静止画像で検出した被写体の中から関連の深い被写体を検出し、この被写体が少なくとも１つは撮影されている静止画像を選択して静止画像を選択出力することにより、配付する数を簡易に把握して静止画像を処理することができるようにする。
【背景技術】
【０００２】
近年、大型のＤＰＥ店、コンビニエンスストアー等には、電子スチルカメラで撮影した写真を印刷する端末装置が設置されている。この端末装置は、ユーザー自身が操作して写真を印刷する装置であり、撮像結果である静止画像を記録したメモリカード等の記録媒体を装着すると、各種のメニューが表示され、このメニューの選択により、例えばこの記録媒体に記録された静止画像がサムネイル画像により一覧表示される。またこの一覧表示において、各静止画像の印刷枚数等を設定して印刷を指示すると、設定された枚数、大きさで写真を印刷する。
【０００３】
このような静止画像の処理に関して、例えば特開２００２−２１５６４３号公報には、静止画像中の人物を顔認識し、顔認識結果に基づいて静止画像を分類する方法が提案されている。
【０００４】
ところで電子スチルカメラで撮影した写真には、一人の人物しか写っていない場合もあれば、多数の人物が写っている場合もある。この一人の人物しか写っていない写真を印刷して本人に配付する場合、１枚だけ写真を印刷すれば良いことになる。これに対して多数の人物が写った写真には、この多数の人物が家族である場合もあれば、他人である仲のよい仲間である場合もある。従って、この多数の人物が写った写真を印刷して本人に配付する場合、この写真が家族によるものの場合には、１枚だけ写真を印刷すれば良いことになる。これに対してこの写真が他人である仲のよい仲間によるものの場合には、写っている人数分、写真を印刷することが必要になる。
【０００５】
従って従来、電子スチルカメラで撮影した写真を端末装置で印刷する場合、結局、写真に写った人物の関係を一々確認しながら、各写真の配付枚数を確認して印刷枚数を設定する必要があり、印刷に関する設定が煩雑な問題があった。
【特許文献１】特開２００２−２１５６４３号公報
【発明の開示】
【発明が解決しようとする課題】
【０００６】
本発明は以上の点を考慮してなされたもので、配付する数を簡易に把握して静止画像を処理することができる画像処理方法、画像処理方法のプログラム、画像処理方法のプログラムを記録した記録媒体及び画像処理装置を提案しようとするものである。
【課題を解決するための手段】
【０００７】
上記の課題を解決するため請求項１の発明は、複数の静止画像を処理する画像処理方法に適用して、前記静止画像毎に、撮影された被写体を検出する被写体検出ステップと、前記被写体検出ステップで検出した被写体を前記複数の静止画像で整理して、前記複数の静止画像で撮影された被写体を検出する被写体整理ステップと、前記被写体整理ステップで検出した複数の被写体の中から、関連の深い被写体を検出する関連付けステップと、前記複数の静止画像から前記関連付けステップで検出した被写体が少なくとも１つは撮影されている静止画像を選択する静止画像選択ステップと、前記静止画像選択ステップで選択した静止画像を出力する静止画像出力ステップとを有するようにする。
【０００８】
また請求項９の発明は、複数の静止画像を処理する画像処理方法のプログラムに適用して、前記画像処理方法は、前記静止画像毎に、撮影された被写体を検出する被写体検出ステップと、前記被写体検出ステップで検出した被写体を前記複数の静止画像で整理して、前記複数の静止画像で撮影された被写体を検出する被写体整理ステップと、前記被写体整理ステップで検出した複数の被写体の中から、関連の深い被写体を検出する関連付けステップと、前記複数の静止画像から前記関連付けステップで検出した被写体が少なくとも１つは撮影されている静止画像を選択する静止画像選択ステップと、前記静止画像選択ステップで選択した静止画像を出力する静止画像出力ステップとを有するようにする。
【０００９】
また請求項１０の発明は、複数の静止画像を処理する画像処理方法のプログラムを記録した記録媒体に適用して、前記画像処理方法は、前記静止画像毎に、撮影された被写体を検出する被写体検出ステップと、前記被写体検出ステップで検出した被写体を前記複数の静止画像で整理して、前記複数の静止画像で撮影された被写体を検出する被写体整理ステップと、前記被写体整理ステップで検出した複数の被写体の中から、関連の深い被写体を検出する関連付けステップと、前記複数の静止画像から前記関連付けステップで検出した被写体が少なくとも１つは撮影されている静止画像を選択する静止画像選択ステップと、前記静止画像選択ステップで選択した静止画像を出力する静止画像出力ステップとを有するようにする。
【００１０】
また請求項１１の発明は、複数の静止画像を処理する画像処理装置に適用して、前記静止画像毎に、撮影された被写体を検出する被写体検出部と、前記被写体検出部で検出した被写体を前記複数の静止画像で整理して、前記複数の静止画像で撮影された被写体を検出する被写体整理部と、前記被写体整理部で検出した複数の被写体の中から、関連の深い被写体を検出する関連付け部と、前記複数の静止画像から前記関連付け部で検出した被写体が少なくとも１つは撮影されている静止画像を選択する静止画像選択部と、前記静止画像選択部で選択した静止画像を出力する静止画像出力部とを有するようにする。
【００１１】
請求項１、請求項９、請求項１０又は請求項１１の構成によれば、各静止画像において、関連の深い被写体が何れの数撮影されている場合でも、複数の静止画像からこの関連の深い被写体が撮影されている静止画像だけを選択して出力することができる。従って特定の被写体が撮影されている静止画像を配付する場合に、この特定の被写体が複数の被写体である場合でも、この複数の被写体で静止画像を重複することなく選択して出力することができ、配付する数を簡易に把握して静止画像を処理することができる。
【発明の効果】
【００１２】
本発明によれば、配付する数を簡易に把握して静止画像を処理することができる。
【発明を実施するための最良の形態】
【００１３】
以下、適宜図面を参照しながら本発明の実施例を詳述する。
【実施例１】
【００１４】
（１）実施例の構成
図２は、本発明の実施例１の画像印刷装置を示す斜視図である。この画像印刷装置１は、電子スチルカメラで撮影した静止画像を印刷する端末装置であり、各店舗に設置されて、メモリカード等に記録された静止画像を印刷する。
【００１５】
ここで画像印刷装置１は、全体が縦長の長方形形状に形成され、正面に、静止画像の印刷結果である写真を取り出す取り出し口２が設けられる。またこの取り出し口２の上側に、メモリカード、磁気ディスク、光ディスク等の各種記録媒体を装填する記録媒体の挿入口３、課金処理に供するカード投入口等が設けられる。またこの画像印刷装置１は、挿入口３の上側に、タッチパネルを配置した画像表示部４が設けられ、この画像表示部４に表示された各種メニューの選択をタッチパネルで検出してユーザーの操作を受け付ける。
【００１６】
図３は、この画像印刷装置１を示すブロック図である。この画像印刷装置１において、画像表示部４は、システム制御部１１の制御により、この画像印刷装置１の処理に必要な各種メニューを表示し、タッチパネル１２は、ユーザーのメニューの選択をシステム制御部１１に通知する。ドライバ１３は、記録媒体の挿入口３に挿入された各種記録媒体から静止画ファイルを取得してシステム制御部１１に通知する。プリンタ１４は、システム制御部１１の制御により静止画像を印刷し、印刷結果である写真を取り出し口２に送出する。
【００１７】
システム制御部１１は、この画像印刷装置１の動作を制御する制御手段であり、リードオンリメモリ（ＲＯＭ：Read Only Memory）１５の記録に従ってランダムアクセスメモリ（ＲＡＭ：Random Access Memory）１６にワークエリアを確保し、ハードディスク装置１７に記録されたプログラムを中央処理ユニット（ＣＰＵ：Central Processing Unit ）１８で実行して各部の動作を制御する。なおこの実施例において、この中央処理ユニット１８が実行するプログラムは、この画像印刷装置１に事前にインストールされて提供されるものの、これに代えて光ディスク、磁気ディスク、メモリカード等の記録媒体に記録して提供するようにしてもよく、またインターネット等のネットワークを介したダウンロードにより提供するようにしてもよい。
【００１８】
このためハードディスク装置１７は、この中央処理ユニット１８が実行するプログラム、このプログラムを実行して得られる中間処理データを格納して保持する。ここでこの実施例では、この中間処理データの１つに、後述する人物情報データテーブルが割り当てられる。
【００１９】
図１及び図４は、この中央処理ユニット１８の処理手順を示すフローチャートである。中央処理ユニット１８は、初期状態では、所定のメインメニュー画面を画像表示部４に表示する。ここでこのメインメニュー画面には、この画像印刷装置１における各種の処理を選択するメニューが表示され、中央処理ユニット１８は、このメインメニュー画面において、記録媒体に記録された静止画像の印刷を指示するメニューの選択がタッチパネル１２を介して検出されると、図５に示すように、画像表示部４の表示を切り換え、記録媒体の装着を促すメッセージを表示する。またドライバ１３を介して記録媒体の装着が検出されると、この図１及び図４に示す処理手順を開始してステップＳＰ１からステップＳＰ２に移る。
【００２０】
このステップＳＰ２において、中央処理ユニット１８は、図６に示す印刷メニュー画面を表示し、ユーザーによる選択を受け付ける。ここでこの印刷メニュー画面には、画像別プリントのメニューと、人物別プリントとのメニューが設けられる。ここで画像別プリントは、静止画像毎にユーザーから印刷枚数、印刷サイズの設定を受け付けて印刷する動作モードである。これに対して人物別プリントは、特定の人物の写った画像を選択的に表示して、印刷枚数、印刷サイズの設定を受け付けて印刷する動作モードである。
【００２１】
この印刷メニュー画面を表示してユーザーが画像別プリントのメニューを選択すると、中央処理ユニット１８は、ステップＳＰ２からステップＳＰ３に移り、ユーザーが装着した記録媒体に記録された静止画像をサムネイル画像により一覧表示する。ここで図７は、このサムネイル画像による一覧表示を示す平面図である。この表示画面では、各サムネイル画像に印刷サイズ、印刷枚数が表示される。また下側に、頁送りのボタンＢＰ、ＯＫのボタンＢＯＫが表示される。なお中央処理ユニット１８は、ディフォルトでは、例えば英字Ｌで示す印刷サイズで静止画像をそれぞれ一枚ずつ印刷する旨、印刷サイズ、印刷枚数を表示する。
【００２２】
中央処理ユニット１８は、続くステップＳＰ４において、何れかのサムネイル画像が選択されると、印刷枚数、印刷サイズを入力するサブメニュー画面を表示し、このサブメニュー画面におけるユーザーの操作に従って印刷サイズ、印刷枚数の変更を受け付ける。またこのとき頁送りのボタンＢＰが操作されると、サムネイル画像の一覧表示をスクロールさせる。
【００２３】
またユーザーが印刷枚数、印刷サイズを指示した後、ステップＳＰ５において、ＯＫのボタンＢＯＫを操作すると、ステップＳＰ５からステップＳＰ６に移り、プリンタ１４を制御してユーザーが設定した印刷枚数、印刷サイズで静止画像を印刷した後、ステップＳＰ７に移ってこの処理手順を終了する。なおこの印刷を開始する際に、ユーザーが一覧表示の印刷を指示すると、中央処理ユニット１８は、サムネイルの画像の一覧表示を印刷する。
【００２４】
これに対して印刷のメニュー画面において、ユーザーが人物別プリントのメニューを選択した場合、中央処理ユニット１８は、ステップＳＰ２からステップＳＰ８に移る。
【００２５】
このステップＳＰ８において、中央処理ユニット１８は、人物情報データテーブルを作成する。ここで人物情報データテーブルは、装着された記録媒体に記録された静止画像毎に、何れの被写体が撮影されているかを記録したテーブルである。この実施例において、この人物情報データテーブルで表される被写体は、人物である。
【００２６】
中央処理ユニット１８は、記録媒体に記録された静止画像を順次読み出し、例えばパターンマッチングの手法を適用して各画像ファイルからそれぞれ顔画像を抽出する。また例えば特徴点を用いた顔判別により抽出した各顔画像を人物毎に分類する。なおこれらの処理は、パターンマッチングの手法、特徴点を用いた顔判別に限らず、種々の手法を適用することができる。これにより中央処理ユニット１８は、静止画像毎に、撮影された被写体を検出する。
【００２７】
また中央処理ユニット１８は、各静止画像で検出した被写体を、記録媒体に記録された複数の静止画像で整理し、これら複数の静止画像で撮影された被写体を検出する。またこの複数の静止画像で検出した被写体のうちの、何れの被写体が各静止画像に写っているかを判定し、人物情報データを生成する。またこの人物情報データを記録媒体に記録された複数の静止画像でまとめて人物情報データテーブルを形成する。
【００２８】
すなわち例えば図８に示すように、装着された記録媒体の画像ファイルでそれぞれ人物を検出して、全ての静止画像で検出結果を処理することにより、丸印を付した番号１〜６で示す６人の人物が、これら複数の静止画像に写っていたとする。またこの場合に、ｎ枚目の静止画像に、これら６人の人物のうちの、番号１、３、５、６の４人の人物が写っていたとする。この場合、中央処理ユニット１８は、装着された記録媒体の静止画像で検出された人物の数を人物情報データのビット数に設定する。またこの人物情報データの下位側ビットからの各ビットを、これら６人の人物の存在、非存在を示すビットに割り当て、静止画像毎に、各ビットを設定して各静止画像の人物情報データを生成する。従ってこの図８に示すｎ枚目の静止画像については、「１１０１０１」の人物情報データが作成される。
【００２９】
中央処理ユニット１８は、図９に示すように、記録媒体に記録された静止画像ａ、ｂ、ｃ、……の人物情報データをまとめてテーブル化し、人物情報データテーブルを作成する。また人物毎に、最も大きく写っている静止画像を選択して顔画像を切り出し、各人物の顔画像を取得してハードディスク装置１７に保持する。
【００３０】
続いて中央処理ユニット１８は、ステップＳＰ９に移り、画像表示部４の表示を人物別プリントのサブメニュー画面に切り換える。ここで図１０に示すように、このサブメニュー画面は、個人別プリントのメニューとグループ別プリントのメニューが表示される。ここで個人別プリントは、各人物が写った静止画像を順次サムネイル画像で一覧表示して印刷サイズ、印刷枚数を受け付けるモードである。これに対してグループ別プリントは、ユーザーによりグループの設定を受け付け、１つのグループに属する人物が写った静止画像をサムネイル画像で一覧表示して印刷サイズ、印刷枚数を受け付けるモードである。
【００３１】
中央処理ユニット１８は、このサブメニュー画面において、ユーザーが個人別プリントのメニューを選択すると、ステップＳＰ９からステップＳＰ１０に移り、人物情報データの下位側ビットから順に、人物毎に、各人物が写った静止画像をサムネイル画像で一覧表示する。
【００３２】
ここで図１１は、このステップＳＰ１０の処理によるサムネイル画像の一覧表示を示す平面図である。中央処理ユニット１８は、人物情報データテーブルを作成する際に取得した顔画像から、最下位ビットに割り当てた人物の顔画像を選択し、この顔画像をこの表示画面の左上に表示する。また人物情報データテーブルを検索してこの人物が写っている静止画像を検出し、検出した静止画像のサムネイル画像を一覧表示する。また中央処理ユニット１８は、この顔画像の下に、人物を切り換えるボタンＢＪを表示し、このボタンＢＪの操作に応動して、顔画像の人物を切り換え、またこの顔画像の切り換えに連動してサムネイル画像により一覧表示する人物を切り換える。
【００３３】
また表示画面４の下側に、頁送りのボタンＢＰ、ＯＫのボタンＢＯＫを表示する。なおこの場合も、中央処理ユニット１８は、ディフォルトでは、例えば英数字Ｌで示す印刷サイズの静止画像をそれぞれ一枚ずつ印刷する旨、各サムネイル画像に印刷サイズ、印刷枚数を表示する。
【００３４】
中央処理ユニット１８は、続くステップＳＰ１１において、何れかのサムネイル画像が選択されると、印刷枚数、印刷サイズを変更するサブメニュー画面を表示し、このサブメニュー画面におけるユーザーの操作に従って印刷サイズ、印刷枚数の変更を受け付ける。またこのとき頁送りのボタンＢＰが操作されると、サムネイル画像の一覧表示をスクロールさせる。
【００３５】
またユーザーが印刷枚数、印刷サイズを指示した後、ステップＳＰ１２においてＯＫのボタンＢＯＫを操作すると、ステップＳＰ１２からステップＳＰ１３に移り、設定された印刷枚数、印刷サイズに従って、順次、静止画像を印刷した後、ステップＳＰ７に移ってこの処理手順を終了する。従ってこの場合、中央処理ユニット１８は、人物情報データに設定された下位側ビットの人物から順に、撮影された人物毎に、各人物が撮影された写真を印刷する。なおこの印刷を開始する際に、ユーザーが一覧表示の印刷を指示すると、中央処理ユニット１８は、この場合も、ステップＳＰ１０で表示した人物毎のサムネイル画像の一覧表示を、人物毎に印刷する。
【００３６】
これに対してステップＳＰ９でグループ別プリントのメニューの選択が検出されると、中央処理ユニット１８は、ステップＳＰ９からステップＳＰ１５に移り、グループの設定を受け付ける。ここでグループの設定は、記録媒体に記録された複数の静止画像で検出された複数の被写体の中から、関連の深い被写体を検出する処理であり、この実施例では、ユーザーによる設定操作を受け付けてこの処理を実行する。
【００３７】
より具体的に、中央処理ユニット１８は、図１２に示す関連付けの設定画面を表示する。ここでこの関連付けの設定画面は、ステップＳＰ８で検出した人物を関連付けして１つのグループに属する人物を特定する画面である。この関連付けの設定画面は、ステップＳＰ８で検出した顔画像が並べて配置される。また各顔画像の脇には、チェック枠Ｗが設けられる。
【００３８】
中央処理ユニット１８は、顔画像の選択がタッチパネル１２を介して検出されると、選択された顔画像のチェック枠Ｗの表示を、チェック有り（図１２においてはレの印で示す）、チェック無し（図１２においては無印により示す）で切り換える。また関連付けのボタンが操作されると、チェック有りに設定された顔画像の人物を、関連の有る１つのグループに属する人物として登録し、該当する人物の顔画像のチェック枠Ｗをチェック無しに切り換え、また該当する人物の顔画像の表示に特定色の枠を表示して関連付けを把握できるようにする。
【００３９】
このようにして関連付けを設定してユーザーがＯＫのボタンＢＯＫを操作すると、中央処理ユニット１８は、ステップＳＰ１５からステップＳＰ１６に移る。このステップＳＰ１６において、中央処理ユニット１８は、図１３に示すように、ステップＳＰ１５で関連付けした人物が写っている静止画像をサムネイル画像で一覧表示する。
【００４０】
ここで中央処理ユニット１８は、人物情報データテーブルを検索して、ステップＳＰ１６で関連付けした人物の何れかが写っている静止画像を検出し、この検出した静止画像をサムネイル画像で一覧表示する。またこの一覧表示の左端に、ステップＳＰ１６で関連付けした人物の顔画像をまとめて表示する。従って図１３の例は、直前のステップＳＰ１５で番号１及び５の人物が関連付けされた場合である。
【００４１】
また表示画像の下側に、頁送りのボタンＢＰ、ＯＫのボタンＢＯＫを表示する。またこの場合も、中央処理ユニット１８は、ディフォルトでは、例えば英数字Ｌで示す印刷サイズの静止画像をそれぞれ一枚ずつ印刷する旨、各サムネイル画像に印刷サイズ、印刷枚数を表示する。
【００４２】
中央処理ユニット１８は、続くステップＳＰ１７において、何れかのサムネイル画像が選択されると、印刷枚数、印刷サイズを変更するサブメニュー画面を表示し、このサブメニュー画面におけるユーザーの操作に従って印刷サイズ、印刷枚数の変更を受け付ける。またこのとき頁送りのボタンＢＰが操作されると、サムネイル画像の一覧表示をスクロールさせる。
【００４３】
またユーザーが印刷枚数、印刷サイズを指示した後、続くステップＳＰ１８においてＯＫのボタンＢＯＫを操作すると、ステップＳＰ１８からステップＳＰ１９に移り、設定された印刷枚数、印刷サイズに従って、サムネイル画像表示した静止画像を印刷する。なおこの印刷を開始する際に、ユーザーが一覧表示の印刷を指示すると、中央処理ユニット１８は、この場合も、ステップＳＰ１６で表示したサムネイル画像の一覧表示を印刷する。
【００４４】
中央処理ユニット１８は、続くステップＳＰ２０において、印刷終了、印刷続行のメニューを表示したメニュー画面に画像表示部４の表示を切り換える。ここでユーザーが印刷続行のメニューを選択すると、中央処理ユニット１８は、ステップＳＰ２０からステップＳＰ１５に移り、改めて別のグループについて、関連付けの設定を受け付け、印刷の処理を開始する。これに対してユーザーが終了のメニューを選択した場合には、ステップＳＰ２０からステップＳＰ７に移ってこの処理手順を終了する。
【００４５】
（２）実施例の動作
以上の構成において、この画像印刷装置１では（図１〜図５）、ユーザーがメモリカード等の記録媒体を装着して画像別プリントを指示すると、記録媒体に記録された静止画像がサムネイル画像で一覧表示され、この一覧表示において各静止画像の印刷サイズ、印刷枚数が受け付けられる（図６及び図７）。また印刷サイズ、印刷枚数を設定してユーザーが印刷を指示すると、この設定された印刷サイズ、印刷枚数で各静止画像が順次印刷されて取り出し口２から排出される。これによりユーザーは、所望する静止画像を所望する印刷サイズ、枚数により取得することができる。
【００４６】
しかしながらこのようにして印刷する静止画像には、一人の人物しか写っていない場合もあれば、多数の人物が写っている場合もある。この一人の人物しか写っていない静止画像については、本人に配付する分だけ印刷すれば良いことになる。これに対して多数の人物が写った写真には、この多数の人物が家族である場合もあれば、他人である仲のよい仲間である場合もある。従って、この多数の人物が写った静止画像が家族によるものの場合には、この家族当てに１枚だけ静止画像を印刷すれば良いことになるのに対し、この静止画像が他人である仲のよい仲間によるものの場合には、写っている人数分、静止画像を印刷することが必要になる。
【００４７】
従って単に記録媒体に記録された静止画像をサムネイル画像で一覧表示して印刷枚数を設定する場合には、静止画像に写った人物の関係を一々確認しながら、各静止画像の印刷枚数を設定する必要があり、印刷に関する設定が煩雑になる。
【００４８】
そこでこの画像印刷装置１では、ユーザーが人物別プリントのメニューを選択すると（図１及び図５）、記録媒体に記録された静止画像毎に、撮影された被写体である人物が検出される。またこの検出結果が記録媒体に記録された複数の静止画像で整理されて、これら複数の静止画像で撮影された被写体が検出され、各静止画像に何れの人物が写っているかを示す人物情報データテーブルが形成される（図８及び図９）。
【００４９】
また続いてユーザーがグループ別プリントを指示すると、複数の静止画像で撮影された被写体が一覧表示され（図１２）、この一覧表示において、ユーザーの操作に応動して関連の深い被写体が設定される。またこの設定により例えば家族等の１つのグループに属する人物が特定される。
【００５０】
この画像印刷装置１では、このようにして設定された関連の深い被写体が少なくとも１つは撮影されている静止画像が、記録媒体に記録された複数の静止画像から選択されてサムネイル画像で一覧表示され、印刷サイズ、印刷枚数の設定が受け付けられる。従って例えばパーティー会場で撮影した多数の静止画像を印刷するような場合であっても、家族、夫婦、兄弟等については、事前に関連付けしておくだけで、これら家族宛用、夫婦宛用、兄弟宛用に、静止画像を印刷することができ、印刷時における印刷枚数の設定作業を従来に比して簡略化することができる。また誤って、余分に印刷する等の場合を回避することができ、またこれとは逆に、誤って印刷枚数が不足すると言った場合を回避することもでき、その分、各種の無駄を廃することができる。
【００５１】
これによりこの画像印刷装置１では、この一覧表示で印刷サイズ、印刷枚数を設定して印刷を指示することにより、設定した印刷サイズ、印刷枚数で所望するグループの構成員の静止画像を印刷することができる。
【００５２】
またこの画像印刷装置１では、この画像印刷の際に、ユーザーが一覧表示の印刷を指示すると、このグループの構成員が写った静止画像のサムネイル画像による一覧表示が印刷される。ここでこのようなサムネイル画像による一覧表示の印刷は、後日、追加で印刷する枚数の確認等に利用することができる。この実施例の場合では、このサムネイル画像の一覧表示の印刷が、このグループの構成員が写った静止画像であることから、同一の記録媒体に記録された全くの他人の静止画像をこれらグループの構成員に知られないようにして、このサムネイル画像の一覧表示を印刷することができ、印刷結果の使い勝手を向上することができる。
【００５３】
これに対して個人別の印刷をユーザーが指示すると（図１０及び図１１）、この記録媒体で検出された被写体毎に、サムネイル画像が一覧表示されて、このサムネイル画像において印刷枚数、印刷サイズの設定が受け付けられる。また被写体毎に、設定された印刷枚数、印刷サイズで静止画像が印刷される。
【００５４】
従って例えば複数人によるパーティーを撮影して、各人に撮影した静止画像を配付する場合にあっては、各人毎に、ソートして印刷結果を得ることができ、印刷結果の配付作業を簡略化することができる。また各人の必要枚数を確実に印刷して、印刷枚数の不足、余分な印刷等を防止することができる。
【００５５】
（３）実施例の効果
以上の構成によれば、複数の静止画像で検出した被写体の中から関連の深い被写体を検出し、この被写体が少なくとも１つは撮影されている静止画像を選択して静止画像を選択出力することにより、配付する数を簡易に把握して静止画像を処理することができる。
【００５６】
またこの被写体が少なくとも１つは撮影されている静止画像を一覧表示して、ユーザーの設定によって関連の深い被写体を設定することにより、簡易かつ確実に、さらにはユーザーの種々の意図を反映させて、静止画像を処理することができる。
【００５７】
またこの被写体が人物であり、この静止画像の出力が用紙への静止画像の印刷であることから、配付する数を簡易に把握して静止画像を印刷して処理することができる。
【００５８】
またこの用紙の印刷を静止画像のサムネイル画像による一覧表示で実行することにより、他人が写った静止画像を知らせないようにして、追加印刷等の利便を図ることができる。
【００５９】
またユーザーのメニューの選択により、複数の静止画像で検出された被写体毎に、複数の静止画像をソートして静止画像を出力することにより、配付する数を簡易に把握して静止画像を処理する構成を有効に利用して、一段と使い勝手を向上することができる。
【実施例２】
【００６０】
なお上述の実施例においては、静止画像を印刷により出力する場合について述べたが、本発明はこれに限らず、光ディスク、磁気ディスク、メモリカード等の記録媒体に記録して静止画像を出力する場合、さらにはメール添付、ＰｔｏＰ等により、通信手段であるネットワーク等に静止画像を出力する場合、さらには表示手段への表示による静止画像の出力等にも広く適用することができる。
【００６１】
また上述の実施例においては、被写体が人物である場合について述べたが、本発明はこれに限らず、例えば被写体が動植物、風景、各種交通手段等である場合に広く適用することができる。すなわちこの場合、多数の静止画像を記録した光ディスク等の記録媒体から、特定車種の車、特定の人物の何れかが写った静止画像を選択的に印刷する等の処理を実行することができる。
【００６２】
また上述の実施例においては、人物情報データテーブルに基づいて静止画像を単に印刷する場合について述べたが、本発明はこれに限らず、作成した人物情報データテーブルを記録媒体に記録して、以降の静止画像の処理に利用可能としてもよい。
【００６３】
また上述の実施例においては、本発明を画像印刷装置に適用する場合について述べたが、本発明はこれに限らず、パーソナルコンピュータにおける画像処理プログラム、記録媒体を直接装着して印刷するパーソナルユースのプリンタ、静止画ファイルのプレビュー装置等にも広く適用することができる。
【産業上の利用可能性】
【００６４】
本発明は、例えば写真を印刷する端末装置に適用することができる。
【図面の簡単な説明】
【００６５】
【図１】本発明の実施例１の画像印刷装置における処理手順を示すフローチャートである。
【図２】本発明の実施例１の画像印刷装置を示す斜視図である。
【図３】図２の画像印刷装置のブロック図である。
【図４】図１の続きの処理手順を示すフローチャートである。
【図５】図２の画像印刷装置の表示画面を示す平面図である。
【図６】図２の画像印刷装置の印刷メニュー画面を示す平面図である。
【図７】図２の画像印刷装置のサムネイル画像による一覧表示を示す平面図である。
【図８】図２の画像印刷装置における人物情報データの説明に供する略線図である。
【図９】図２の画像印刷装置における人物情報データテーブルの説明に供する略線図である。
【図１０】図２の画像印刷装置のサブメニュー画面を示す平面図である。
【図１１】図１０のサブメニュー画面に続くサムネイル画像による一覧表示を示す平面図である。
【図１２】図２の画像印刷装置の関連付けの設定画面を示す平面図である。
【図１３】図１２の関連付けの設定画面に続くサムネイル画像による一覧表示を示す平面図である。
【符号の説明】
【００６６】
１……画像印刷装置、４……画像表示部、１１……システム制御部、１２……タッチパネル、１７……ハードディスク装置、１８……中央処理ユニット
【図１】
2008052560.tif 000003
【図２】
2008052560.tif 000004
【図３】
2008052560.tif 000005
【図４】
2008052560.tif 000006
【図５】
2008052560.tif 000007
【図６】
2008052560.tif 000008
【図７】
2008052560.tif 000009
【図８】
2008052560.tif 000010
【図９】
2008052560.tif 000011
【図１０】
2008052560.tif 000012
【図１１】
2008052560.tif 000013
【図１２】
2008052560.tif 000014
【図１３】
2008052560.tif 000015